【手続補正書】
【提出日】平成20年8月26日(2008.8.26)
【手続補正１】
【補正対象書類名】特許請求の範囲
【補正対象項目名】全文
【補正方法】変更
【補正の内容】
【特許請求の範囲】
【請求項１】
入射光量に応じて電荷を発生し蓄積する受光部を含む画素回路を複数備えるラインが複数配置されて構成され、画像データを生成する撮像手段と、
前記受光部を、第１の期間間隔で所定ラインごとに順次リセットする第１の駆動と、前記第１の期間間隔と異なる第２の期間間隔で所定ラインごとに順次リセットする第２の駆動とをフレーム単位で行うリセット手段と、
前記第１の駆動における前記リセットの開始から所定時間経過後に前記第１の期間間隔で前記所定ラインごとに前記受光部で蓄積された前記電荷を画素値として読み出す駆動と、前記第２の駆動における前記リセットの開始から所定時間経過後に前記第２の期間間隔で前記所定ラインごとに前記受光部で蓄積された前記電荷を画素値として読み出す駆動とをフレーム単位で行う読出手段と、を備え、
前記リセット手段は、前記読出手段による１フレーム内の前記画素値の読み出しが終了した後に、後続するフレームのためのリセットを行うことを特徴とする撮像装置。
【請求項２】
入射光量に応じて電荷を発生し蓄積する受光部を含む画素回路を複数備えるラインが複数配置されて構成され、画像データを生成する撮像手段と、
前記受光部を所定ラインごとに順次リセットするリセット手段と、
前記リセットの開始から所定時間経過後に前記所定ラインごとに前記受光部で蓄積された前記電荷を画素値として読み出す読出手段であって、前記画像データのフレーム単位に、前記撮像手段の第１の領域について読み出しを行う場合には前記画素値を加算して読み出し、第１の領域よりも小さい第２の領域について読み出しを行う場合には、前記第１の領域についての読み出しよりも加算数を少なくして前記画素値を加算し、或いは、非加算により読み出す読出手段と
を備え、
前記リセット手段は、前記第１の領域について読み出しを行うに先立って、第１の期間間隔で所定ラインごとに順次リセットする駆動と、前記第２の領域について読み出しを行うに先立って、前記第１の期間間隔と異なる第２の期間間隔で所定ラインごとに順次リセットする駆動とをフレーム単位で行い、
前記読出手段は、前記第１の領域について読み出しを行う場合は、前記第１の期間間隔で前記所定ラインごとに読み出しを行い、前記第２の領域について読み出しを行う場合には、前記第２の期間間隔で前記所定ラインごとに読み出しを行い、
更に、前記リセット手段は、前記読出手段による１フレーム内の前記画素値の読み出しが終了した後に、後続するフレームのためのリセットを行うことを特徴とする撮像装置。
【請求項３】
前記リセット手段は、前記読出手段が、前後のフレームにおいて前記第１の期間間隔の前記所定ラインごとの読み出しから前記第２の期間間隔の前記所定ラインごとの読み出しに切り換えて読み出しを行う場合、又は、前記第２の期間間隔の前記所定ラインごとの読み出しから前記第１の期間間隔の前記所定ラインごとの読み出しに切り換えて読み出しを行う場合には、該前のフレーム内の画素値の読み出しが終了した後に、該後のフレームのためのリセットを行い、前後のフレームにおいて前記切り替えを行わない場合には、
該前のフレーム内の画素値の読み出しが終了する前に、該後のフレームのためのリセットを行うことを特徴とする請求項１又は２に記載の撮像装置。
【請求項４】
前記読出手段は、前記後のフレームにおける前記リセットの開始から読み出しを開始するまでの期間と、該後のフレームに続くフレームにおける前記リセットの開始から読み出しを開始するまでの期間とが一致するように、前記後のフレームにおける読み出しの開始時期を制御することを特徴とする請求項３に記載の撮像装置。
【請求項５】
前記後のフレームにおける画素値のゲインを補正するゲイン補正手段を更に備えることを特徴とする請求項３に記載の撮像装置。
【請求項６】
前記撮像手段からの信号を処理する信号処理手段と、
前記信号処理手段で処理された信号を表示する表示手段と
をさらに備えることを特徴とする請求項１乃至５のいずれか１項に記載の撮像装置。
【請求項７】
入射光量に応じて電荷を発生し蓄積する受光部を含む画素回路を複数備えるラインが複数配置されて構成され、画像データを生成する撮像部と、前記受光部を、第１の期間間隔で所定ラインごとに順次リセットする第１の駆動と、前記第１の期間間隔と異なる第２の期間間隔で所定ラインごとに順次リセットする第２の駆動とをフレーム単位で行うリセット部とを備える撮像装置の制御方法であって、
前記第１の駆動における前記リセットの開始から所定時間経過後に前記第１の期間間隔で前記所定ラインごとに前記受光部で蓄積された前記電荷を画素値として読み出す駆動と、前記第２の駆動における前記リセットの開始から所定時間経過後に前記第２の期間間隔で前記所定ラインごとに前記受光部で蓄積された前記電荷を画素値として読み出す駆動とをフレーム単位で行う読出工程と、
前記リセット部により、前記読出工程における１フレーム内の前記画素値の読み出しが終了した後に、後続するフレームのためのリセットを行うリセット工程とを備えることを特徴とする撮像装置の制御方法。
【請求項８】
入射光量に応じて電荷を発生し蓄積する受光部を含む画素回路を複数備えるラインが複数配置されて構成され、画像データを生成する撮像部と、前記受光部を所定ラインごとに順次リセットするリセット部とを備える撮像装置の制御方法であって、
前記リセットの開始から所定時間経過後に前記所定ラインごとに前記受光部で蓄積された前記電荷を画素値として読出部により読み出す読出工程であって、
前記画像データのフレーム単位に、前記撮像部の第１の領域について読み出しを行う場合には前記画素値を加算して読み出し、第１の領域よりも小さい第２の領域について読み出しを行う場合には、前記第１の領域についての読み出しよりも加算数を少なくして前記画素値を加算し、或いは、非加算により読み出し、
前記第１の領域について読み出しを行う場合は、前記第１の期間間隔で前記所定ラインごとに読み出しを行い、前記第２の領域について読み出しを行う場合には、前記第２の期間間隔で前記所定ラインごとに読み出しを行う読出工程と、
前記リセット部により、前記読出部による１フレーム内の前記画素値の読み出しが終了した後に、後続するフレームのためのリセットを行うリセット工程とを
備え、
前記リセット工程では、前記第１の領域について読み出しを行うに先立って、第１の期間間隔で所定ラインごとに順次リセットする駆動と、前記第２の領域について読み出しを行うに先立って、前記第１の期間間隔と異なる第２の期間間隔で所定ラインごとに順次リセットする駆動とをフレーム単位で行うことを特徴とする撮像装置の制御方法。
【請求項９】
前記リセット工程では、前記読出工程において、前後のフレームにおいて前記第１の期間間隔の前記所定ラインごとの読み出しから前記第２の期間間隔の所定ラインごとの読み出しに切り換えて読み出しが行われる場合、又は、前記第２の期間間隔の前記所定ラインごとの読み出しから前記第１の期間間隔の前記所定ラインごとの読み出しに切り換えて読み出しが行われる場合には、該前のフレーム内の画素値の読み出しが終了した後に、該後のフレームのためのリセットが行われ、前後のフレームにおいて前記切り替えを行わない場合には、該前のフレーム内の画素値の読み出しが終了する前に、該後のフレームのためのリセットが行われることを特徴とする請求項７又は８に記載の撮像装置の制御方法。
【請求項１０】
前記読出工程では、前記後のフレームにおける前記リセットの開始から読み出しを開始するまでの期間と、該後のフレームに続くフレームにおける前記リセットの開始から読み出しを開始するまでの期間とが一致するように、前記後のフレームにおける読み出しの開始時期が制御されることを特徴とする請求項９に記載の撮像装置の制御方法。
【請求項１１】
前記後のフレームにおける画素値のゲインを補正するゲイン補正工程を更に備えることを特徴とする請求項９に記載の撮像装置の制御方法。
【請求項１２】
請求項７乃至１１のいずれか１項に記載の撮像装置の制御方法をコンピュータに実行させるためのコンピュータプログラム。
【請求項１３】
請求項１２に記載のコンピュータプログラムを格納したコンピュータで読み取り可能な記憶媒体。